(57)【要約】【課題】カム筒の光軸方向に沿った寸法を小さくして、レンズ鏡筒６に近接して配置される部材の配置の自由度を向上する。【解決手段】カム筒25に形成した第１のカム溝71及び第２のカム筒72に、第１のレンズ群21の第１のカムフォロア46及び第２のレンズ群22の第２のカムフォロア56を係合する。カム筒25の回動に伴い、第１のレンズ群21と第２のレンズ群22とを移動させる。第１のカム溝71及び第２のカム筒72を周方向に並べて配置する。これらカム溝71，72を光軸Ｏの方向に沿って配置する構成に比べ、カム筒25の光軸Ｏに沿った方向の寸法Ｄを小さくできる。【選択図】図１
2008134569.tif 000002
【特許請求の範囲】
【請求項１】
第１のレンズ、この第１のレンズを保持する第１のレンズ保持部及び第１のカムフォロアを設けた第１のレンズ枠を備え、光軸に沿って前後に移動可能に支持された第１のレンズ群と、
第２のレンズ、この第２のレンズを保持する第２のレンズ保持部及び第２のカムフォロアを設けた第２のレンズ枠を備え、前記光軸に沿って前後に移動可能に支持された第２のレンズ群と、
前記第１のカムフォロアが係合する第１のカム溝及び前記第２のカムフォロアが係合する第２のカム溝を設け、これら第１のカム溝と第２のカム溝とは互いに少なくとも一部が前記光軸と直交する同一の平面上に位置し、前記光軸を中心として回動可能に支持されたカム筒と
を具備することを特徴とするレンズ鏡筒。
【請求項２】
第１のレンズ枠は、内周側に第１のレンズ保持部を設けた円筒状をなす第１の枠本体部と、この第１の枠本体部から光軸方向に沿って複数突設された第１の支持片部と、これら第１の支持片部からそれぞれ外周側に突設された第１のカムフォロアとを備え、
第２のレンズ枠は、内周側に第２のレンズ保持部を設けた円筒状をなす第２の枠本体部と、この第２の枠本体部から光軸方向に沿って複数突設された第２の支持片部と、これら第２の支持片部からそれぞれ外周側に突設された第２のカムフォロアとを備え、
前記第１の支持片部及び前記第２の支持片部は、カム筒の内側に沿って周方向に交互に配置される
ことを特徴とする請求項１記載のレンズ鏡筒。
【請求項３】
光軸方向に沿った案内溝を設けた円筒状の案内筒を備え、
第１のレンズ枠及び第２のレンズ枠は、第１のカムフォロア及び第２のカムフォロアを前記案内溝に係合し、第１の枠本体部及び第２の枠体本体が前記案内筒の内周側に前記光軸方向に沿って前後に移動可能に配置され、
カム筒は、前記案内溝を貫通した前記第１のカムフォロアを第１のカム溝に係合し、前記案内溝を貫通した前記第２のカムフォロアを第２のカム溝に係合して、案内筒の外周側に嵌合して回動可能に配置された
ことを特徴とする請求項２記載のレンズ鏡筒。
【請求項４】
光源と、
この光源から照射された光を変調させる光変調手段と、
この光変調手段で変調された光を投射する請求項１ないし３いずれか一記載のレンズ鏡筒と
を具備したことを特徴とするプロジェクタ装置。
【発明の詳細な説明】
【技術分野】
【０００１】
本発明は、例えば、複数のレンズ群を光軸方向に沿って移動させるカム構造を有するレンズ鏡筒及びレンズ鏡筒を備えたプロジェクタ装置に関する。
【背景技術】
【０００２】
従来、光源、光変調手段である液晶表示素子などで構成される照明光学系、投射光学系であるレンズ鏡筒などを備え、光源から照射された光を液晶表示素子で変調し、その光をレンズ鏡筒によりスクリーンなどの上に投射像として投射するプロジェクタ装置が知られている。そして、レンズ鏡筒は、それぞれレンズをレンズ枠に保持した複数のレンズ群を備え、これらレンズ群を光軸方向に沿って移動させることにより、ズーム及び焦点の調節を行うようになっている。
【０００３】
そして、レンズ群の移動については、各レンズ枠と同軸にカム筒を設け、各レンズ枠から突設したピンであるカムフォロアを、カム筒に設けたカム溝に係合し、このカム筒を回動することにより、各レンズ群を光軸方向に沿って前後に移動させている(例えば、特許文献１参照。)。
【特許文献１】特開２００４−３４７６４６号公報  （図１−３）
【発明の開示】
【発明が解決しようとする課題】
【０００４】
しかしながら、上記従来の構成では、例えば３群の構成では、光軸方向に沿って配置された３群のレンズ群の各レンズ枠から突設したカムフォロアを駆動するため、カム筒には、光軸方向に沿って３列のカム溝が形成されており、カム筒の光軸方向に沿った寸法が大きくなるため、レンズ鏡筒に近接して配置される部材の配置が制限を受ける問題を有している。
【０００５】
本発明は、このような点に鑑みなされたもので、カム筒の寸法を小さくできるレンズ鏡筒及びプロジェクタ装置を提供することを目的とする。
【課題を解決するための手段】
【０００６】
請求項１記載のレンズ鏡筒は、第１のレンズ、この第１のレンズを保持する第１のレンズ保持部及び第１のカムフォロアを設けた第１のレンズ枠を備え、光軸に沿って前後に移動可能に支持された第１のレンズ群と、第２のレンズ、この第２のレンズを保持する第２のレンズ保持部及び第２のカムフォロアを設けた第２のレンズ枠を備え、前記光軸に沿って前後に移動可能に支持された第２のレンズ群と、前記第１のカムフォロアが係合する第１のカム溝及び前記第２のカムフォロアが係合する第２のカム溝を設け、これら第１のカム溝と第２のカム溝とは互いに少なくとも一部が前記光軸と直交する同一の平面上に位置し、前記光軸を中心として回動可能に支持されたカム筒とを具備するものである。
【０００７】
そして、この構成では、カム筒を回動することにより、第１のレンズ群及び第２のレンズ群がそれぞれ前後に移動して、ズームあるいは焦点などの調節が行われる。第１のカム溝と第２のカム溝とは互いに少なくとも一部が光軸と直交する同一の平面上、すなわち同じ周上に位置するため、カム筒の光軸方向に沿った寸法を小さくすることが可能になる。そこで、レンズ鏡筒に近接して配置される部材の配置の自由度が向上する。
【０００８】
請求項２記載のレンズ鏡筒は、請求項１記載のレンズ鏡筒において、第１のレンズ枠は、内周側に第１のレンズ保持部を設けた円筒状をなす第１の枠本体部と、この第１の枠本体部から光軸方向に沿って複数突設された第１の支持片部と、これら第１の支持片部からそれぞれ外周側に突設された第１のカムフォロアとを備え、第２のレンズ枠は、内周側に第２のレンズ保持部を設けた円筒状をなす第２の枠本体部と、この第２の枠本体部から光軸方向に沿って複数突設された第２の支持片部と、これら第２の支持片部からそれぞれ外周側に突設された第２のカムフォロアとを備え、前記第１の支持片部及び前記第２の支持片部は、カム筒の内側に沿って周方向に交互に配置されるものである。
【０００９】
そして、この構成では、第１のカム溝と第２のカム溝とが互いに少なくとも一部が光軸と直交する同一の平面上に位置してカム筒の光軸方向に沿った寸法を小さくする構成が容易に実現される。
【００１０】
請求項３記載のレンズ鏡筒は、請求項２記載のレンズ鏡筒において、光軸方向に沿った案内溝を設けた円筒状の案内筒を備え、第１のレンズ枠及び第２のレンズ枠は、第１のカムフォロア及び第２のカムフォロアを前記案内溝に係合し、第１の枠本体部及び第２の枠体本体が前記案内筒の内周側に前記光軸方向に沿って前後に移動可能に配置され、カム筒は、前記案内溝を貫通した前記第１のカムフォロアを第１のカム溝に係合し、前記案内溝を貫通した前記第２のカムフォロアを第２のカム溝に係合して、案内筒の外周側に嵌合して回動可能に配置されたものである。
【００１１】
そして、この構成では、カム筒を回動することにより、第１のレンズ群及び第２のレンズ群を光軸方向に沿って前後に移動する構成が容易に実現される。
【００１２】
請求項４記載のプロジェクタ装置は、光源と、この光源から照射された光を変調させる光変調手段と、この光変調手段で変調された光を投射する請求項１ないし３いずれか一記載のレンズ鏡筒とを具備したものである。
【００１３】
そして、この構成では、請求項１ないし３いずれか一記載のレンズ鏡筒を備えているため、光変調手段などの部材をレンズ鏡筒に干渉せずに近接して配置することが可能になり、部材の配置の自由度が高く小形化が容易になる。
【発明の効果】
【００１４】
本発明によれば、レンズ鏡筒の第１のカム溝と第２のカム溝とは互いに少なくとも一部が光軸と直交する同一の平面上、すなわち同じ周上に位置するため、カム筒の光軸方向に沿った寸法を容易に小さくできる。そこで、レンズ鏡筒に近接して配置される部材の配置の自由度が向上し、このレンズ鏡筒を用いたプロジェクタ装置の小形化が容易になる。
【発明を実施するための最良の形態】
【００１５】
以下、本発明のレンズ鏡筒及びプロジェクタ装置の一実施の形態を図面を参照して説明する。
【００１６】
図８において、１はプロジェクタ装置で、このプロジェクタ装置１は、液晶プロジェクタであり、光源２、この光源２から照射された照明光が入射する内部筐体３、この内部筐体３に収納された図示しない光学要素、液晶表示素子である３枚の透過型のＬＣＤパネル4r，4g，4bを備えた光変調手段４、合成光学系としてのダイクロイッククロスプリズム５、及び、プロジェクタ装置用鏡筒としてのレンズ鏡筒６などを備えている。そして、光源２と内部筐体３とは、外装体としての横長の箱状の外装カバー７により外側を覆われている。この外装カバー７内には、図示しないファン、制御回路、操作部、表示部、電源装置などが配設されている。
【００１７】
なお、以下、光源２からスクリーンに向かう照明光の光軸Ｏに対し、スクリーン側を前側、光源２側を後側とし、光源２側から見て光軸に直交する方向を上下方向すなわち鉛直方向、および、左右方向すなわち水平方向として説明する。
【００１８】
そして、光源２は、図示しないハロゲンランプなどの白熱電球あるいはメタルハライドランプなどの放電ランプを備るとともに、この放電ランプの周囲には、この放電ランプから照射された光を反射する放物面状の鏡面を備えたリフレクタが配設されている。そこで、光源２からは、放電ランプから照射された光がリフレクタで反射されて内部筐体３内に入射する。また、内部筐体３は、箱状に形成され、この内部筐体３の内側に、各種フィルタ及び各種レンズなどの図示しない各種光学要素が構成され、所定の位置に配置されて保持されている。そして、この各種光学要素は、例えば光源２から照射された光を、Ｒ(赤)、Ｇ(緑)、Ｂ(青)の３色の色光に分離し、それぞれの色光をＬＣＤパネル4r，4g，4bにそれぞれ入射させる。そして、各ＬＣＤパネル4r，4g，4bは、所定の映像信号に応じて各色光を変調し、ダイクロイッククロスプリズム５に向けて透過させる。さらに、ダイクロイッククロスプリズム５は、各ＬＣＤパネル4r，4g，4bを介して所定の映像信号に応じて変調された３色の色光を合成光に合成し、レンズ鏡筒６に入射させるものであり、平面視で四角形状に形成され、筐体３に設けられた凹部11に配置されている。そして、このダイクロイッククロスプリズム５は、入射面となる３方の側面部がＬＣＤパネル4r，4g，4bに対向し、出射面となる前側の側面部がレンズ鏡筒６に対向している。
【００１９】
そして、レンズ鏡筒６は、ダイクロイッククロスプリズム５にて合成された光を図示しないスクリーン上などに投射する投射レンズであり、外装カバー７に埋め込まれ、後側部の周囲に内部筐体３や光変調手段４などの部材が近接して配置された状態で支持されている。そして、このレンズ鏡筒６は、図１ないし図３に示すように、前側から順に、第１の移動群である第３のレンズ群20、第２の移動群である第１のレンズ群21、及び第３の移動群である第２のレンズ群22を同軸に備えるとともに、これらレンズ群20，21，22に同軸に組み合わされた案内筒24及びカム筒25を有し、さらに、これら部材の後側部に、取付台27及び駆動機構28を取り付けて構成されている。
【００２０】
すなわち、第３のレンズ群20が備える第１ないし第５レンズＬ1〜Ｌ5、第１のレンズ群21が備える第１のレンズを構成する第６及び第７レンズＬ6，Ｌ7、第２のレンズ群22が備える第２のレンズを構成する第８ないし第１１レンズＬ8〜Ｌ11は、光軸Ｏ上に沿って中心軸を有している。
【００２１】
そして、第３のレンズ群20は、焦点(ピント)を調整するために前後に移動するもので、図１ないし図３に示すように、例えばポリカーボネートなどの合成樹脂にて形成された略円筒状をなす第３の枠本体部31と、この第３の枠本体部31の外周側に取り付けられ例えばポリカーボネートなどの合成樹脂にて形成された略円筒状をなす第３のフォーカス管32とを備えている。そして、第３の枠本体部31は、階段状に前側に向かって径寸法が大きくなり、内周部に、第１ないし第５レンズＬ1〜Ｌ5を保持する第１ないし第５レンズ保持部31a1〜31a5が形成されている。そして、第４レンズ保持部31a4と第５レンズ保持部31a5とが内径寸法がほぼ等しい他、第３レンズ保持部31a3は第４レンズ保持部31a4より内径寸法が大きく、第２レンズ保持部31a2は第３レンズ保持部31a3より内径寸法が大きく、第１レンズ保持部31a1は第２レンズ保持部31a2より内径寸法が大きく、これらレンズ保持部31a1〜31a5に保持される第１ないし第５レンズＬ1〜Ｌ5の外形寸法についても、同じ関係になっている。なお、この実施の形態では、第１レンズＬ1は前側に凸面を向けたメニスカスレンズであり、第２レンズＬ2は両凸レンズであり、第３レンズＬ3は前側に凸面を向けたメニスカスレンズであり、第４レンズＬ4は両凹レンズであり、第５レンズＬ5は両凸レンズである。また、第３のフォーカス管32は、第３の枠本体部31の外周部を覆うようにして、第３の枠本体部31に係合されるとともに、固定具であるねじ34にて固定されている。また、この第３のフォーカス管32の外周面の後側部には、周方向に沿って、ラック部35が形成されている。
【００２２】
また、第１のレンズ群21は、ズームを調整するために前後に移動するもので、例えばポリカーボネートなどの合成樹脂にて形成された第１のレンズ枠41を備え、この第１のレンズ枠41には、略円筒状をなす第１の枠本体部42と、この第１の枠本体部42の前側に突設された第１の支持片部43とが一体に形成されている。そして、第１の枠本体部42の内周側には、第６及び第７レンズＬ6，Ｌ7を保持する第１のレンズ保持部を構成する第６及び第７レンズ保持部42a6，42a7が形成されている。そして、第７レンズ保持部42a7よりも第６レンズ保持部42a6の内径寸法が大きく、これらレンズ保持部42a6，42a7に保持される第６及び第７レンズＬ6，Ｌ7の外形寸法についても、同じ関係になっている。なお、この実施の形態では、第６レンズＬ6は両凸レンズであり、第７レンズＬ7は後側に凸面を向けたメニスカスレンズである。また、第１の枠本体部42の外周部は、傾斜した段部42bを介し、前側部の外形寸法が後側部の外形寸法より大きく形成されている。さらに、第１の枠本体部42の後端部からは、先端部が後側に向かいピン状に突出するピン部42cと先端部が後側に向かい開口する円筒部42dとが交互に３カ所ずつ突設され、環状などの部材44が固定可能になっている。
【００２３】
そして、第１の支持片部43は、第１の枠本体部42の先端部の複数カ所、本実施の形態では３カ所から、周方向に略等角度の間隔に、断面円弧状をなして突設されている。そして、これら第１の支持片部43の外周面で構成される仮想的な円筒の外周面の外形寸法は、第１の枠本体部42の外形寸法より大きく形成されている。さらに、各第１の支持片部43の外周面からは、それぞれ外周側に向かい、ピンである第１のカムフォロア46が一体に突設されている。各第１のカムフォロア46は、略円筒状をなし、外周側すなわち先端側は外形寸法が小さくなる傾斜面となっている。
【００２４】
また、第２のレンズ群22は、ズームを調整するために前後に移動するもので、例えばポリカーボネートなどの合成樹脂にて形成された第２のレンズ枠51を備え、この第２のレンズ枠51には、略円筒状をなす第２の枠本体部52と、この第２の枠本体部52の前側に突設された第２の支持片部53とが一体に形成されている。そして、第２の枠本体部52の後側部の内周側は、後側に向かって階段状に内径寸法が大きくなり、第８ないし第１１レンズＬ8〜Ｌ11を保持する第２のレンズ保持部を構成する第８ないし第１１レンズ保持部52a8〜52a11が形成されている。そして、第８レンズ保持部52a8と第９レンズ保持部52a9とが内径寸法がほぼ等しい他、第９レンズ保持部52a9より第１０レンズ保持部52a10の内径寸法が大きく、第１０レンズ保持部52a10より第１１レンズ保持部52a11の内径寸法が大きく、これらレンズ保持部52a8〜52a11に保持される第８ないし第１１レンズＬ8〜Ｌ11の外形寸法についても、同じ関係になっている。なお、この実施の形態では、第８レンズＬ8は後側に凸面を向けたメニスカスレンズであり、第９レンズＬ9は両凹レンズであり、第１０レンズＬ10は後側に凸面を向けたメニスカスレンズであり、第１１レンズＬ11は両凸レンズである。
【００２５】
さらに、この第２のレンズ枠51の第２の枠本体部52には、これらレンズ保持部52a8〜52a11の前側に位置して、円筒状をなす収納筒部54が設けられている。この収納筒部54の内径寸法は、レンズ保持部52a8〜52a11の部分の内径寸法より大きく、第１のレンズ枠41の第１の枠本体部42を内側に収容可能となっている。さらに、この収納筒部54は、第１の枠本体部42の形状に応じて、傾斜した段部54bを介し、前側部の内形寸法が後側部の内形寸法より大きく形成されている。
【００２６】
また、第２の支持片部53は、第１の支持片部43と同様の形状で、第２の枠本体部52の先端部の複数カ所、本実施の形態では３カ所から、周方向に略等角度の間隔に、断面円弧状をなして突設されている。さらに、各第２の支持片部53の外周面からは、それぞれ外周側に向かい、ピンである第２のカムフォロア56が一体に突設されている。各第２のカムフォロア56は、略円筒状をなし、外周側すなわち先端側は外形寸法が小さくなる傾斜面となっている。
【００２７】
そして、これら第２の支持片部53の外周面で構成される仮想的な円筒の外周面の外形寸法は、第１の支持片部43の外周面で構成される仮想的な円筒の外周面の外形寸法と同じに形成されている。すなわち、図５に示すように、第１のレンズ枠41と第２のレンズ枠51を組み合わせ、収納筒部54に第１の枠本体部42を収納した状態で、第１の支持片部43と第２の支持片部53が交互に配置した状態で組み合わされ、仮想的な円筒を構成するようになっている。さらに、この状態で、第１のレンズ枠41の各第１の支持片部43から突設された第１のカムフォロア46と、第２のレンズ枠51の各第２の支持片部53から突設された第２のカムフォロア56とが、光軸Ｏ上のある点を中心とする円周上に略等間隔すなわち６０度間隔で配置されるようになっている。なお、第１のレンズ枠41と第２のレンズ枠51を組み合わせた状態で、互いに隣接する第１の支持片部43と第２の支持片部53との間には若干の隙間が設定されており、互いに周方向に移動可能となっている。
【００２８】
また、案内筒24は、直進案内筒とも呼び得るもので、例えばポリカーボネートなどの合成樹脂にて形成され、略円筒状をなす案内筒本体部61と、この案内筒本体部61の前側に連続する略円筒状をなす支持部62とが一体に形成されている。そして、案内筒本体部61の前側部には、前後方向に沿ってすなわち光軸Ｏに沿って、６カ所に、直線状のスリットである案内溝64が形成されている。また、この案内筒本体部61の後側部は、傾斜した段部61aを介して、前側部よりも内径寸法が小さく形成されている。また、支持部62は、内径寸法及び外径寸法とも案内筒本体部61より大きく、垂直状の壁部65を介して案内筒本体部61に連続している。そして、この壁部65に、各案内溝64の前端部が開口している。また、案内筒本体部61の外周面には、前端部すなわち支持部62の近傍に位置して、周方向に沿ったリブ状をなすカム筒案内部61bが断続的に外周側に突設されている。さらに、支持部62の外周部には、外周側に向かい、第３のレンズ群20を回動可能に支持する図示しない螺旋状の支持突部が突設されている。
【００２９】
そして、この案内筒24は、図６に示すように、案内筒本体部61の内側に、互いに組み合わせられた第１のレンズ群21と第２のレンズ群22、すなわち第１のレンズ枠41と第２のレンズ枠51とを収納可能になっている。そして、これら第１のレンズ枠41と第２のレンズ枠51とを収納した状態で、各レンズ枠41，51のカムフォロア46，56がそれぞれ案内溝64に挿入、本実施の形態では摺動可能に貫通して案内され、これら第１のレンズ枠41と第２のレンズ枠51が直線状に前後に移動可能に案内されている。また、この案内筒24の前側部には、図３に示すように、第３のレンズ群20が回動可能に取り付けられている。
【００３０】
また、カム筒25は、例えばポリカーボネートなどの合成樹脂にて形成され、前後方向に沿ってすなわち光軸Ｏに沿った寸法Ｄが小さい円筒状に形成されている。そして、このカム筒25の内周面には、図４に示すように、前端部に沿って前側溝部70が薄肉に凹設して形成されているとともに、この前側溝部26に連続し、各レンズ枠41，51のカムフォロア46，56に対応して、第１のカム溝71と、第２のカム溝72とが、３カ所ずつ周方向に交互に位置し、すなわち、合計６本のカム溝71，72が６０度間隔でそれぞれ薄肉に凹設して同周上に形成されている。すなわち、これら第１のカム溝71と、第２のカム溝72とは、ほぼ同じ形状で、光軸Ｏを中心とする同一の周上に大部分が位置して形成されている。そして、これら第１のカム溝71及び第２のカム溝72は、前側溝部70に連続し光軸Ｏに沿った方向に沿って延びる導入溝部71a，72aと、これら導入溝部71a，72aの後側の端部に連続し、光軸Ｏに沿った方向に対して所定の角度だけ傾斜した第１のカム溝部71b及び第２のカム溝部72bとを備えている。なお、本実施の形態では、第１のカム溝71と第２のカム溝72とは、ほぼ同一形状であるが、第１のカム溝71より第２のカム溝72の長さ寸法が若干大きく形成されている。すなわち、導入溝部71a，72aの形状は互いに同一で、第１のカム溝部71b及び第２のカム溝部72bの前端部の位置は同一であるが、後端部の位置は、第１のカム溝部71bよりも第２のカム溝部72bの方が若干後側に突出するようになっている。
【００３１】
さらに、カム筒25には、内周側の前端部に位置して、周方向に沿ったリブ状をなす係合部74が断続的に内周側に突設されている。さらに、カム筒25の外周部には、後端部の一部に沿って、ラック部75が形成されているとともに、カム筒25の回動範囲を規制する一対の規制部76が突設されている。
【００３２】
そして、このカム筒25は、図７に示すように、案内筒24の案内筒本体部61の外周部に嵌合して回動可能に支持されている。この状態で、係合部74がカム筒案内部61bに係合して抜け止めされ前後方向に位置決めされるとともに、案内筒24の案内溝64を貫通した第１のカムフォロア46の先端部と第２のカムフォロア56の先端部とが、それぞれ第１のカム溝71と第２のカム溝72とに摺動可能に係合されている。
【００３３】
また、取付台27は、例えばポリカーボネートなどの合成樹脂にて形成され、案内筒24の後端部に嵌合する円環状の案内筒取付部81と、この案内筒取付部81を中心とする垂直な四角板状の部材の下側の一方の角部の部分を切り落とした三角板状の基板部82と、この基板部82の下側の他方の角部の部分から前側に突設された駆動機構取付部84とが一体に形成されている。そして、案内筒取付部81には、案内筒24に固定するための図示しない固定具であるねじが挿入される通孔81aが４カ所に形成されている。また、基板部82には、内部筐体３に固定するための固定具であるねじが挿入される取付孔82aが３カ所に形成されている。また、駆動機構取付部84には、図示しない固定具であるねじなどにより、駆動機構28が取り付けられている。
【００３４】
そして、駆動機構28は、図３に示すように、例えばポリカーボネートなどの合成樹脂にて形成された取付台部91と、この取付台部91に取り付けられた焦点駆動機構92と、取付台部91に取り付けられた図示しないズーム駆動機構とを備えている。そして、焦点駆動機構92は、ギア機構部92aと、このギア機構部92aの後部に連結された電動のモータ92bと、ギア機構部92aの前側に連結されたピニオン92cとを備えている。なお、ピニオン92cは、軸部92dに取り付けられたバネ92eにより、所定の位置に保持され、第３のレンズ群20のラック部35に噛合するようになっている。一方、ズーム駆動機構は、図示しないが、焦点駆動機構92と同様に、モータ、ギア機構部、及びカム筒25のラック部75に噛合するピニオンを備えている。
【００３５】
次に、この実施の形態の動作を説明する。
【００３６】
光源２から照射された照明光は、内部筐体３に入射し、この筐体３内の各種光学要素に導かれ、Ｒ(赤)、Ｇ(緑)、Ｂ(青)の各色光に分離された後、これら色光がＬＣＤパネル4r，4g，4bに入射して変調される。そして、変調された色光は、ダイクロイッククロスプリズム５に３方から入射し、ダイクロイッククロスプリズム５にて色合成されてレンズ鏡筒６に入射する。
【００３７】
そして、レンズ鏡筒６に入射した光は第１１レンズＬ11から第１レンズＬ1を順次通過して、スクリーンに投射像として投射される。
【００３８】
ここで、焦点駆動機構92のモータ92bを駆動すると、このモータ92bの回転がギア機構部92aを介してピニオン92cに伝えられ、このピニオン92cの回転によりラック部35を駆動して、第３のレンズ群20を回動させる。すると、螺旋状の支持突部に支持された第３のレンズ群20が案内筒24に対して相対的に前後に移動し、すなわち、第１ないし第５レンズＬ1〜Ｌ5が光軸Ｏに沿って前後に移動して、投射像の焦点(ピント)が調節される。
【００３９】
また、ズーム駆動機構のモータを駆動すると、このモータの回転がギア機構部を介してピニオンに伝わり、このピニオンの回転によりラック部75を駆動して、カム筒25を回転させる。すると、このカム筒25の第１及び第２のカム溝71，72が移動し、これら第１及び第２のカム溝71，72に係合する第１のカムフォロア46及び第２のカムフォロア56は、案内溝64に案内されて前後に直線的に駆動される。すなわち、第１のレンズ群21の第６及び第７レンズＬ6，Ｌ7と、第２のレンズ群22の第８ないし第１１レンズＬ8〜Ｌ11とが、光軸Ｏに沿って案内筒24に対して相対的に前後に移動し、すなわち、第１及び第２のカム溝71，72の形状に規定される位置にそれぞれ移動して、投射像の大きさが調整される。
【００４０】
そして、本実施の形態によれば、プロジェクタ装置１のレンズ鏡筒６の移動群のカム構造につき、複数のレンズ群21，22のレンズ枠41，51からそれぞれ突設したカムフォロア46，56を、カム筒25のカム溝71，72に係合し、カム筒25の回動に伴い、これら複数のレンズ群21，22を光軸Ｏに沿って前後に移動させる構成について、複数のカム溝71，72を互いに少なくとも一部が光軸Ｏと直交する同一の平面上すなわち同じ周上に位置させ、本実施の形態では、第１のカム溝71と第２のカム溝72とはほぼ同形状で周方向に並べて配置したため、これらカム溝71，72を光軸Ｏの方向に沿って配置する構成に比べ、カム筒25の光軸Ｏに沿った方向の寸法Ｄを小さくできる。
【００４１】
そこで、レンズ鏡筒６に近接して配置される部材、特に、図３に矢印Ａで示す、レンズ鏡筒６の後側部に近接して配置される部材がカム筒25に干渉せず、内部構造物などの部材の配置の自由度が向上し、プロジェクタ装置１を容易に小型化できる。
【００４２】
また、複数のカム溝71，72を周方向に並べて配置する構成は、第２のレンズ枠51の第２の枠本体部52の内側に第１のレンズ枠41の第１の枠本体部42の少なくとも一部を収納し、これら第２の枠本体部52と第１の枠本体部42から突設した支持片部43，53を周方向に交互に組み合わせるように配置し、これら支持片部43，53からカムフォロア46，56を突設することにより、容易に実現できる。言い換えれば、前側の移動群の第１のレンズ枠41の第１のカムフォロア46の間を切り欠き、この切り欠いた部分に後側の移動群の第２のレンズ枠51の第２のカムフォロア56を配置することにより、複数のカム溝71，72を周方向に並べて配置する構成を容易に実現できる。
【００４３】
なお、上記の実施の形態では、カム筒25により２個のレンズ群21，22を移動させる構成について説明したが、この構成に限られず、３個以上のレンズ群を移動させることもできる。この場合には、各レンズ群から突設される支持片部の周方向に沿った寸法を小さくして、互いに隣接して配置させることができる。
【００４４】
また、複数のカム溝71，72は、互いに略同形状としたが、この構成に限られず、複数のレンズ群21，22が逆方向に移動するなど、カム溝71，72の傾斜角度を設定することもできる。
【００４５】
また、第１のカムフォロア46と第２のカムフォロア56とのピン径すなわち外径寸法を互いに異ならせ、それぞれのカムフォロア46，56に対応して案内溝64及びカム溝71，72の幅を互いに異ならせることで、組立時の誤組みを防止し、組立時の作業性を向上することもできる。
【００４６】
また、上記の各部材は、例えばポリカーボネートにて形成したが、この構成に限られず、ポリプロピレンなどの合成樹脂、アルミニウムなどの金属、あるいは金属と樹脂とを組み合わせて構成することもできる。
【００４７】
また、プロジェクタ装置１も、１個のレンズ鏡筒６を備えた液晶プロジェクタに限られず、光変調手段として反射型のデバイスを用いた構成でも良く、あるいは、３個の各光変調手段に対してそれぞれレンズ鏡筒６を備える構成とすることもできる。
【００４８】
また、カム筒25は、モータで駆動する他、手動で駆動する構成とすることもできる。
【産業上の利用可能性】
【００４９】
本発明は、例えば、液晶プロジェクタなどのプロジェクタ装置に適用できる。
【図面の簡単な説明】
【００５０】
【図１】本発明のレンズ鏡筒の一実施の形態を示す一部の分解斜視図である。
【図２】同上レンズ鏡筒の断面の説明図であり、上半分は広角の状態、下半分は望遠の状態である。
【図３】同上レンズ鏡筒の一部の斜視図である。
【図４】同上レンズ鏡筒のカム筒を展開した内側面の説明図である。
【図５】同上レンズ鏡筒の組立工程を示す説明図である。
【図６】同上レンズ鏡筒の組立工程を示す説明図である。
【図７】同上レンズ鏡筒の組立工程を示す説明図である。
【図８】同上レンズ鏡筒を備えたプロジェクタ装置の説明図である。
【符号の説明】
【００５１】
１    プロジェクタ装置
２    光源
４    光変調手段
６    レンズ鏡筒
21    第１のレンズ群
22    第２のレンズ群
24    案内筒
25    カム筒
41    第１のレンズ枠
42    第１の枠本体部
42a6    第１のレンズ保持部を構成する第６レンズ保持部
42a7    第１のレンズ保持部を構成する第７レンズ保持部
43    第１の支持片部
46    第１のカムフォロア
51    第２のレンズ枠
52    第２の枠本体部
52a8    第２のレンズ保持部を構成する第８レンズ保持部
52a9    第２のレンズ保持部を構成する第９レンズ保持部
52a10   第２のレンズ保持部を構成する第１０レンズ保持部
52a11   第２のレンズ保持部を構成する第１１レンズ保持部
53    第２の支持片部
56    第２のカムフォロア
64    案内溝
71    第１のカム溝
72    第２のカム溝
Ｌ6    第１のレンズを構成する第６レンズ
Ｌ7    第１のレンズを構成する第７レンズ
Ｌ8    第２のレンズを構成する第８レンズ
Ｌ9    第２のレンズを構成する第９レンズ
Ｌ10   第２のレンズを構成する第１０レンズ
Ｌ11   第２のレンズを構成する第１１レンズ
Ｏ    光軸
【図１】
2008134569.tif 000003
【図２】
2008134569.tif 000004
【図３】
2008134569.tif 000005
【図４】
2008134569.tif 000006
【図５】
2008134569.tif 000007
【図６】
2008134569.tif 000008
【図７】
2008134569.tif 000009
【図８】
2008134569.tif 000010